(57)【要約】【課題】取り扱い時や破棄処理時に使用済み注射針などが外部に突出しない安全な医療危険物の廃棄容器を提供する。【解決手段】医療危険物の廃棄容器１は、５０％以上の紙成分と５０％未満の樹脂成分からなる成形材料を射出成型してなる、下部を開放し上部壁４及び４側部壁５を有する上部材２と、上部を開放し底部壁及び４側部壁７を有する下部材３とからなり、上部材２の４側部壁４の各下端で形成される開放縁部８と、下部材３の４側部壁７の各上端で形成される開放縁部とを嵌合し、上部材２の前記開放縁部８近傍と下部材３の前記開放縁部近傍に設けた連繋部により、前記嵌合状態で上部材２と下部材３を連繋する一方、上部材２の上部壁４には、投入口１１とこの投入口１１を開閉するようになした蓋部材１２を設けてなる。【選択図】図１
0003113153.tif 000002
【実用新案登録請求の範囲】
【請求項１】
５０％以上の紙成分と５０％未満の樹脂成分からなる成形材料を射出成型してなる、下部を開放し上部壁及び４側部壁を有する上部材と、上部を開放し底部壁及び４側部壁を有する下部材とからなり、上部材の４側部壁の各下端で形成される開放縁部と、下部材の４側部壁の各上端で形成される開放縁部とを嵌合し、上部材の前記開放縁部近傍と下部材の前記開放縁部近傍に設けた連繋部により、前記嵌合状態で上部材と下部材を固定する一方、上部材の上部壁には、投入口と、この投入口を開閉するようになした蓋部材とを設けた医療危険物の廃棄容器。
【請求項２】
５０％以上の紙成分と５０％未満の樹脂成分からなる成形材料を射出成型してなる、下部を開放し上部壁及び４側部壁を有する上部材と、上部を開放し底部壁及び４側部壁を有する下部材とからなり、上部材の４側部壁の各下端で形成される開放縁部に、下部材の４側部壁の各上端で形成される開放縁を嵌合し、上部材の前記開放縁部近傍と下部材の前記開放縁部近傍に設けた連繋部により、前記嵌合状態で上部材と下部材を固定する一方、上部材の上部壁には、投入口と、この投入口を開閉するようになした蓋部材を設けた医療危険物の廃棄容器であって、上部材の上部壁は、帯状に開口した投入口を挟むように設けた水平板と誘導板とからなり、前記誘導板は前記投入口に向いて下方に傾斜し、かつ前記水平板より低く配置したことを特徴とする医療危険物の廃棄容器。
【考案の詳細な説明】
【技術分野】
【０００１】
本考案は、使用済みの注射針や注射針の付いた注射器、医療用メス、脱脂綿あるいはガーゼなどの使用済み医療危険物を廃棄するための、医療現場や介護現場などにおいて使用する医療危険物の廃棄容器に関するものである。
【背景技術】
【０００２】
従来、医療危険物を廃棄するには、医療危険物をゴミ袋状容器（特許文献１参照）に入れ、廃棄専門業者が一般ゴミとは区別して廃棄処理を行っていた。
【特許文献１】特開２０００−３０１１３０
【考案の開示】
【考案が解決しようとする課題】
【０００３】
医療危険物を収容した前記ゴミ袋状容器の取り扱いは、注射針や注射針を付けたままの注射器を収容したときに注射針が容器周囲を突き破って外部に突き出ることがあり、医療従事者や運搬業者にとってはきわめて危険であるという問題がある。
【０００４】
本考案は、上記問題を解消することを課題とし、該課題を解決した医療危険物の廃棄容器を提供することを目的とする。
【課題を解決するための手段】
【０００５】
前記目的を達成するために、請求項１に記載の医療危険物の廃棄容器は、５０％以上の紙成分と５０％未満の樹脂成分からなる成形材料を射出成型してなる、下部を開放し上部壁及び４側部壁を有する上部材と、上部を開放し底部壁及び４側部壁を有する下部材とからなり、上部材の４側部壁の各下端で形成される開放縁部と、下部材の４側部壁の各上端で形成される開放縁部とを嵌合し、上部材の前記開放縁部近傍と下部材の前記開放縁部近傍に設けた連繋部により、前記嵌合状態で上部材と下部材を固定する一方、上部材の上部壁には、投入口と、この投入口を開閉するようになした蓋部材とを設けたものである。
【０００６】
また、前記目的を達成するために、請求項２に記載の医療危険物の廃棄容器は、５０％以上の紙成分と５０％未満の樹脂成分からなる成形材料を射出成型してなる、下部を開放し上部壁及び４側部壁を有する上部材と、上部を開放し底部壁及び４側部壁を有する下部材とからなり、上部材の４側部壁の各下端で形成される開放縁部に、下部材の４側部壁の各上端で形成される開放縁を嵌合し、上部材の前記開放縁部近傍と下部材の前記開放縁部近傍に設けた連繋部により、前記嵌合状態で上部材と下部材を固定する一方、上部材の上部壁には、投入口と、この投入口を開閉するようになした蓋部材を設けた医療危険物の廃棄容器であって、上部材の上部壁は、帯状に開口した投入口を挟むように設けた水平板と誘導板とからなり、前記誘導板は前記投入口に向いて下方に傾斜し、かつ前記水平板より低く配置したことを特徴とするものである。
【考案の効果】
【０００７】
請求項１に記載の本考案は、処理５０％以上の紙成分と５０％未満の樹脂成分からなる成形材料を用いたので、使用済み注射針などが外部に突出せず、取り扱い時や破棄処理時作業を安全に行えるとともに、一般の燃えるゴミとして焼却処分が可能であるという効果を奏する。
【０００８】
また、請求項２に記載の本考案は、５０％以上の紙成分と５０％未満の樹脂成分からなる成形材料を用いたので、使用済み注射針などが外部に突出せず、取り扱い時や破棄処理作業を安全に行えるとともに、一般の燃えるゴミとして焼却処分が可能であるほか、上部材の上部に水平板より低位の誘導板を設けたので、医療危険物をこの誘導板側から投入口に投入すれば、床などにこぼれ落ちるおそれがないという効果を奏する。
【考案を実施するための最良の形態】
【０００９】
次に、本考案の好適な実施形態を添付図面の図１〜図４に基づいて詳細に説明する。ここにおいて、図１は廃棄容器の斜視図、図２は組み立て状態を示す斜視図、図３は縦断正面図、図４は組み立て状態を示す要部の拡大縦断正面図である。
【００１０】
図１〜図４に示すように、破棄容器１は、５０％以上の紙成分と５０％未満の樹脂成分からなる成形材料を射出成型してなる上部材２と下部材３からなる。
【００１１】
前記上部材２は、下部を開放し上部壁４及び４側部壁５を有し、下部材３は上部を開放し底部壁６及び４側部壁７を有する。上部材２の４側部壁５の各下端で形成された開放縁部８は、下部材３の４側部壁５の各上端で形成された開放縁部９が嵌入可能となるように、該下部材３の開放縁部９より一回り大きく形成され、上部材２の前記開放縁部８近傍の内面と下部材３の前記開放縁部９近傍の外面に、上部材２と下部材３を連繋する連繋部１０（図３、図４参照）を設ける一方、上部材２の上部壁４には、投入口１１と、この投入口１１を開閉するようになした蓋部材１２とを設ける。
【００１２】
図４に示すように、前記連繋部１０は、上部材２の開放縁部８近傍の内面に設けた係合凹部１３と、下部材３の開放縁部９近傍の外面に設けた係合凸部１４とからなり、前記係合凸部１４は、前記係合凹部１３の下側縁部１３ａに係止する段部１４ａを有するとともに、この段部１４ａから先端に向いて徐々に薄くなるテーパー面１４ｂを形成してある。
【００１３】
図１〜図３に示すように、上部材２の上部壁４は、帯状に開口した前記投入口１１を挟んだ両側に設けた水平板４ａと誘導板４ｂとからなり、前記誘導板４ｂは投入口１１に向いて下方に傾斜し、かつ前記水平板４ａより低く配置した。
【００１４】
図３及び図４に示すように、前記上部材２と前記下部材３を連繋、固定して廃棄容器１を組み立てるには、下部材３の開放縁部９を上部材２の開放縁部８に嵌入し、上部材２と下部材３を互いに押し付けることによって、前記連繋部１０における係合凸部１４のテーパー面１４ｂが上部材２の開放縁部８を外側に押しながら進行し、係合凹部１３の下側縁部１３ａに係合凸部１４の段部１４ａが係止して、係合凸部１３と係合凹部１３が係合し、上部材２と下部材３が連繋する。前記連繋状態は、たとえば廃棄容器１を床に落とした程度では解除されない。
【００１５】
図１〜図３に示すように、蓋部材１２は、前記誘導板ｂと投入口１１を覆いうるように、隣接する側部壁５の一対の隅部に回転可能に軸支し、その外縁中央外側に、開くときに指で摘まむための摘み１５を設けるとともに、この摘みの反対側（内側）に前記水平板４ａの投入口１１側縁部に設けた非係止爪１６に係止し、運搬時などに不用意に開かないようにするための係止爪１７を設ける。
【００１６】
なお、本考案は上記実施形態になんら限定されるものではなく、例えば、上記実施形態とは逆に、上部材２に係合凸部１４を設け、下部材３に係合凹部１３を設けるようにしてもよい。また、下部材３の開放縁部９を上部材２の開放縁部８に嵌入するのではなく、上部材２の開放縁部８を下部材３の開放縁部９に嵌入するように構成してもよい。さらに、連繋部１０は、上部材２と下部材３が不用意に分解しないものであれば他の機構を用いたものであってもよい。
【図面の簡単な説明】
【００１７】
【図１】廃棄容器の斜視図。
【図２】組み立て状態を示す斜視図。
【図３】縦断正面図。
【図４】組み立て状態を示す要部の拡大縦断正面図
【符号の説明】
【００１８】
１    廃棄容器
２    上部材
３    下部材
４    上部壁
４ａ    水平板
４ｂ    誘導板
５    上部材の側部壁
６    底部壁
７    下部材の側部壁
８    上部材の開放縁部
９    下部材の開放縁部
１０    連繋部
１１    投入口
１２    蓋部材
１３    係合凹部
１４    係合凸部
１５    摘み
１６    非係止爪
１７    係止爪
【図１】
0003113153.tif 000003
【図２】
0003113153.tif 000004
【図３】
0003113153.tif 000005
【図４】
0003113153.tif 000006